(57)【要約】  【課題】  単一の入力端子のみでロータリーエンコーダの接続が可能な電子機器を提供することを目的とする。【解決手段】  回転手段の回転角度に応じて切り替え動作を行う第１切替手段と第２切替手段を有するロータリーエンコーダ２と、当該ロータリーエンコーダ２の出力端子Ｖnから入力される電圧を検知する制御手段１とを備えた電子機器において、前記第１切替手段の一端は接地され他端は第１抵抗Ｒ２を介して前記出力端子Ｖnに接続され、前記第２切替手段の一端は接地され他端は第２抵抗Ｒ３を介して前記出力端子Ｖnに接続され、当該出力端子Ｖnには所定の電圧が印加される。  【選択図】  図１
2005318013.tif 000002
【特許請求の範囲】
【請求項１】
回転手段の回転角度に応じて切り替え動作を行う第１切替手段と第２切替手段を有するロータリーエンコーダと、当該ロータリーエンコーダの出力端子から入力される電圧を検知する制御手段とを備えた電子機器において、
前記第１切替手段の一端は接地され他端は第１抵抗を介して前記出力端子に接続され、前記第２切替手段の一端は接地され他端は第２抵抗を介して前記出力端子に接続され、当該出力端子には所定の電圧が印加されることを特徴とする電子機器。
【請求項２】
回転手段の回転角度に応じて切り替え動作を行う第１切替手段と第２切替手段を有するロータリーエンコーダと、当該ロータリーエンコーダの出力端子から入力される電圧を検知する制御手段とを備えた電子機器において、
前記第１切替手段の一端は接地され他端は第１抵抗を介して前記出力端子に接続され、前記第２切替手段の一端は接地され他端は前記出力端子に接続され、当該出力端子には所定の電圧が印加されることを特徴とする電子機器。
【発明の詳細な説明】
【技術分野】
【０００１】
本発明は、例えばステレオ装置やテレビジョン受信機などの各種ＡＶ機器、あるいは電子楽器や情報処理装置などの電子機器に関し、特に音量調整等の信号出力レベルの調整に用いられるロータリーエンコーダを備えるものに関する。
【背景技術】
【０００２】
例えばステレオ装置などにおいては、近年、ロータリーエンコーダを用いた音量制御装置が多用されている。この音量制御装置は、音量調整用の回転つまみとともに回転するロータリーエンコーダを備え、このロータリーエンコーダが所定角度回転する毎にパルスが出力されるように構成されていた。そして、このパルスが出力される毎に、音量を例えば２ｄＢなどの所定量変化させていた。また、音量レベルを増加させるか減少させるかは、ロータリーエンコーダから出力される互いに位相の異なる２種類のパルス列を比較することによって判断していた。
【０００３】
図５は、従来のロータリーエンコーダ２Ａの回路の概略構成を示すものである。
ＳＷ１及びＳＷ２の一端は各々接地され、各々の他端は、抵抗Ｒを介して各々基準電圧が印加されると共に、マイコン１Ａの入力端子Ｖm１、Ｖm２の各々に接続されている出力端子Ｖn１とＶn２に接続されている。そして、ロータリーエンコーダ２Ａが回転することによってこのＳＷ１とＳＷ２が交互にＯＮ／ＯＦＦを繰り返し、ＳＷ１とＳＷ２の切り替え動作に対応するＨＩＧＨ又はＬＯＷのパルスがマイコン１Ａの入力端子Ｖm１とＶm２に出力される。ＳＷ１がＯＮの場合には、接地側に電流が流れるため、入力端子Ｖm1にはＬＯＷの信号が入力され、ＳＷ１がＯＦＦの場合には、接地側には電流が流れないため、入力端子Ｖm1にはＨＩＧＨの信号が入力される。同様に、ＳＷ２がＯＮの場合には、接地側に電流が流れるため、入力端子Ｖm２にはＬＯＷの信号が入力され、ＳＷ２がＯＦＦの場合には、接地側には電流が流れないため、入力端子Ｖm２にはＨＩＧＨの信号が入力される。
【０００４】
図６は従来の回路構成におけるＳＷ１及びＳＷ２のＯＮ／ＯＦＦ切り替え動作に応じてロータリーエンコーダ２Ａから出力される２種類のパルス列の波形と音量を上げる場合の関係を示す図である。
【０００５】
図６に示すように、ＳＷ１がＯＮの状態でＳＷ２をＯＦＦからＯＮにすると、即ちＳＷ１の切り替え動作に対応するパルス列の波形がＬＯＷの場合に、ＳＷ２の切り替え動作に対応するパルス列の波形がＨＩＧＨからＬＯＷに変化した場合には、マイコン１Ａがこの変化を検知して、この変化毎に２dＢずつ音量を上げるように制御する。一方、図示しないが、ＳＷ１がＯＮの状態でＳＷ２をＯＦＦからＯＮにすると、即ちＳＷ１の切り替え動作に対応するパルス列の波形がＨＩＧＨの場合に、ＳＷ２の切り替え動作に対応するパルス列の波形がＨＩＧＨからＬＯＷに変化した場合にはマイコン１Ａがこの変化を検知して、この変化毎に２dＢずつ音量を下げるように制御する。
【特許文献１】特開２００１−２８５２４号公報
【発明の開示】
【発明が解決しようとする課題】
【０００６】
ここで、例えば、ステレオ装置といった電子機器では、機器の電源のＯＮ／ＯＦＦ、入力の切り替え、音量の調節、音質の選択やタイマー設定などの操作及び音響機器内部の制御はマイコンにより駆動しており、マイコンの入出力端子は数多く必要であった。このため多くの機器を制御するためには、マイコンの入力端子の有効活用が必要となっていた。一方、上記のようなロータリーエンコーダを用いた場合、信号レベルを上げるか、下げるかの判断のためには２つの端子が必要であり、このロータリーエンコーダを接続するためマイコンの入力端子は必ず２つ必要となっていた。従って、マイコン１の端子数に制限がある装置においては、ロータリーエンコーダを少ない端子数で接続することが要求されていた。
【０００７】
本発明は、このような問題に鑑みてなされたもので、単一の入力端子のみでロータリーエンコーダの接続が可能な電子機器を提供することを目的とするものである。
【課題を解決するための手段】
【０００８】
請求項１に記載の電子機器は、回転手段の回転角度に応じて切り替え動作を行う第１切替手段と第２切替手段を有するロータリーエンコーダと、当該ロータリーエンコーダの出力端子から入力される電圧を検知する制御手段とを備えた電子機器において、
前記第１切替手段の一端は接地され他端は第１抵抗を介して前記出力端子に接続され、前記第２切替手段の一端は接地され他端は第２抵抗を介して前記出力端子に接続され、当該出力端子には所定の電圧が印加されることを特徴とする。
【０００９】
請求項２に記載の電子機器は、回転手段の回転角度に応じて切り替え動作を行う第１切替手段と第２切替手段を有するロータリーエンコーダと、当該ロータリーエンコーダの出力端子から入力される電圧を検知する制御手段とを備えた電子機器において、
前記第１切替手段の一端は接地され他端は第１抵抗を介して前記出力端子に接続され、前記第２切替手段の一端は接地され他端は前記出力端子に接続され、当該出力端子には所定の電圧が印加されることを特徴とする。
【発明の効果】
【００１０】
本発明によれば、電子機器の端子数に制約がある場合であっても、マイコンは単一の入力端子のみでロータリーエンコーダの制御を行うことができる。
【発明を実施するための最良の形態】
【００１１】
図１は本発明の一実施例に係るステレオ装置の概略構成を示す図である。
【００１２】
ロータリーエンコーダ２は、ユーザによる音量調整用の回転つまみ３の回転に応じて回転する回転体（図示せず）を備え、この回転体が所定角度回転する毎に異なる値の電圧をマイコン１に出力する。この電圧の特定の変化パターンが所定回数出力される毎に、マイコン１は音量レベルを２ｄＢずつ変化させるように電子ボリューム４を制御し、この音量レベルが変化した音声がスピーカ５から出力される。
図２は、本発明の一実施例にかかるロータリーエンコーダ２の回路の概略構成を示すものである。
電源Ｖoは、ロータリーエンコーダ２の回転に応じて切り替え動作を行うＳＷ１とＳＷ２に基準電圧を印加するものである。出力端子Ｖｎは、ロータリーエンコーダ２から出力される異なる値の電圧をマイコン１の入力端子Ｖmに出力するためのものであり、この出力端子Ｖｎはロータリーエンコーダ２に１つだけ備えられている。ＳＷ１とＳＷ２は、各々一端が接地されるとともに、ＳＷ１の他端は抵抗Ｒ２を介して、ＳＷ２の他端は抵抗Ｒ３を介して、出力端子Ｖｎに接続されている。そして、このＳＷ１及びＳＷ２はユーザが音量調整用の回転つまみ３を回転させることにより交互にＯＮ／ＯＦＦを繰り返し、この繰り返しにより、マイコン１の入力端子Ｖmに出力する電圧を異なる値にするものである。Ｒ１乃至Ｒ３は抵抗であり、Ｒ２はＲ３より抵抗値が小さい。
図３は、電子機器の音量調整用の回転つまみ３を所定角度回転させる場合に、ＳＷ１とＳＷ２のそれぞれのＯＮ／ＯＦＦの状態と電圧の関係を示すものである。
【００１３】
ＳＷ１とＳＷ２が各々ＯＮであるか、ＯＦＦであるかによりロータリーエンコーダ２の回路における電流の流れ方が異なり、これによりマイコン１の入力端子Ｖｍに入力される電圧値は４種類となる。つまり、ＳＷ１とＳＷ２が共にＯＮの場合にはマイコン１の入力端子Ｖｍに１番高い電圧Ｖ１が印加され、ＳＷ１のみがＯＮの場合には２番目に高い電圧Ｖ２が印加され、ＳＷ２のみがＯＮの場合には３番目に高い電圧Ｖ３が印加され、ＳＷ１とＳＷ２が共にＯＦＦの場合には接地電位Ｇとなる。
【００１４】
また、図３Ａに示すように、ユーザが電子機器の音量調整用の回転つまみ３を右に回転すると、ＳＷ１とＳＷ２が共にＯＮ→ＳＷ１のみがＯＮ→ＳＷ１とＳＷ２が共にＯＦＦ→ＳＷ２のみがＯＮの状態を順に繰り返し、この切り替えに伴い、マイコン１の入力端子Ｖmに入力される電圧は、Ｖ１→Ｖ２→Ｇ→Ｖ３の順の変化（以下、パターン１という。）を繰り返す。
【００１５】
一方、図３Ｂに示すように、ユーザが音量調整用の回転つまみ３を左に回転すると、ＳＷ２のみがＯＮ→ＳＷ１とＳＷ２が共にＯＮ→ＳＷ１のみがＯＮ→ＳＷ１とＳＷ２が共にＯＦＦの状態を順に繰り返し、この切り替わりに伴い、マイコン１の入力端子Ｖmに入力される電圧は、Ｖ３→Ｇ→Ｖ２→Ｖ１の順の変化（以下、パターン２という。）を繰り返す。
【００１６】
これらの２つの電圧パターンは、マイコン１に予め記憶されている。つまり、マイコン１の入力端子Ｖmに入力される電圧変化のパターンがパターン１の場合には音量を上げ、マイコン１の入力端子Ｖmに入力される電圧変化のパターンがパターン２の場合には音量を下げるようにプログラムされている。
【００１７】
図４は、図３の場合におけるマイコン１の処理を示すフローチャートである。
【００１８】
初めに、例えば、ユーザが電子機器の音量調整用の回転つまみ３を右に回転し（Ｓ１で右）、パターン１がマイコン１に入力されると、マイコン１がこのパターン１を認識して（Ｓ２）、パターン１が入力される毎に２dBずつ音量を上げる。そして、マイコン１がこの音声レベルについての信号を電子ボリューム４に出力すると、スピーカ５から音量を上げた音声が出力される（Ｓ３）。一方、例えば、ユーザが電子機器の音量調整用の回転つまみ３を左に回転し（Ｓ１で左）、パターン２がマイコン１に入力されると、マイコン１がこのパターン２を認識して（Ｓ４）、パターン２が入力される毎に２dB毎ずつ音量を下げる。そして、マイコン１がこの音量レベルについての信号を電子ボリューム４に出力すると、スピーカ５から音声を下げた音声が出力される（Ｓ５）。
【００１９】
本実施例に係る発明によれば、マイコン１は単一の入力端子Ｖmのみでロータリーエンコーダ２の制御を行うことができる。
【００２０】
尚、本実施例では、ＳＷ１とＳＷ２は各々抵抗Ｒ２と抵抗Ｒ３を介してＶnに接続されているが、抵抗Ｒ２と抵抗Ｒ３のうちいずれか一方の抵抗がない場合でも同様の制御が可能である。
【００２１】
また、本実施例においては音量調整を行うものとして説明したが、本発明はこれに限らず、信号出力レベルの調整に適用されるものである。
【図面の簡単な説明】
【００２２】
【図１】本発明の一実施例に係るステレオ装置の概略構成を示す図である。
【図２】本発明の一実施例に係るロータリーエンコーダ２の回路の概略構成を示すものである。
【図３Ａ】電子機器の音量調整用の回転つまみ３を所定角度右に回転させる場合に、ＳＷ１とＳＷ２のそれぞれのＯＮ／ＯＦＦの状態と電圧の関係を示すものである。
【図３Ｂ】電子機器の音量調整用の回転つまみ３を所定角度左に回転させる場合に、ＳＷ１とＳＷ２のそれぞれのＯＮ／ＯＦＦの状態と電圧の関係を示すものである。
【図４】図３の場合におけるマイコン１の処理を示すフローチャートである。
【図５】従来のロータリーエンコーダ２Ａの回路の概略構成を示す図である。
【図６】従来の回路構成におけるＳＷ１及びＳＷ２のＯＮ／ＯＦＦ切り替え動作に応じてロータリーエンコーダ２Ａから出力される２種類のパルス列の波形と音量を上げる場合の関係を示す図である。
【符号の説明】
【００２３】
１  マイコン
２  ロータリーエンコーダ
３  音量調整つまみ
Ｖm  マイコン１の入力端子
Ｖn  ロータリーエンコーダ２の出力端子
Ｒ１、Ｒ２、Ｒ３  抵抗
【図１】
2005318013.tif 000003
【図２】
2005318013.tif 000004
【図３Ａ】
2005318013.tif 000005
【図３Ｂ】
2005318013.tif 000006
【図４】
2005318013.tif 000007
【図５】
2005318013.tif 000008
【図６】
2005318013.tif 000009